(57)【要約】【課題】大掛かりな設備が不要で分離作業を簡単なものにする。ガスの分離性能を向上させる。【解決手段】使用済みの吸着剤に吸着されているガスよりも吸着されやすい流体に接触させる（ステップＳ１，Ｓ２）ことで吸着剤からガスを放出させた後、吸着剤を廃棄又は再使用する（ステップＳ４）。また、放出させたガスを捕集する（ステップＳ３）。【選択図】図１
2010201357.tif 000002
【特許請求の範囲】
【請求項１】
使用済みの吸着剤に吸着されているガスよりも吸着されやすい流体に接触させることで前記吸着剤から前記ガスを分離した後、前記吸着剤を廃棄又は再使用することを特徴とする使用済み吸着剤の処理方法。
【請求項２】
前記流体は液体であることを特徴とする請求項１記載の使用済み吸着剤の処理方法。
【請求項３】
前記吸着剤から放出されたガスを捕集することを特徴とする請求項１記載の使用済み吸着剤の処理方法。
【発明の詳細な説明】
【技術分野】
【０００１】
本発明は、使用済み吸着剤の処理方法に関する。更に詳しくは、本発明は、使用によって吸着させたガスが環境に放出されるのを防止する使用済み吸着剤の処理方法に関するものである。
【背景技術】
【０００２】
ガス絶縁開閉装置（ＧＩＳ）等のガス絶縁電力機器では、絶縁ガスから発生した分解ガスを吸着し除去するために接地タンク内に吸着剤を収容している（特開平９−１２１４３２号）。吸着剤としては、例えば合成ゼオライト系のものが使用されている。
【０００３】
絶縁ガスとして使用されるＳＦ６ガスは、地球温暖化対策のために排出規制ガスに指定されており、ＧＩＳのタンク開放点検等ではＳＦ６ガスを全量回収するようにしている。この点検時にはタンク内の吸着剤が交換される。ＧＩＳのタンクから回収された吸着剤はＳＦ６ガスを多量に吸着しているので、吸着剤の廃棄時には当該吸着剤に吸着されているＳＦ６ガスにも考慮する必要がある。
【０００４】
吸着剤からガスを分離する手法として、例えば吸着剤を加熱することが知られている。
【先行技術文献】
【特許文献】
【０００５】
【特許文献１】特開平９−１２１４３２号公報
【発明の概要】
【発明が解決しようとする課題】
【０００６】
しかしながら、吸着剤を加熱することでガスを分離するためには加熱設備が必要であり、分離に必要な設備が大掛かりなものとなると共に、分離のための作業が煩雑になる。また、ガスの分離性能が必ずしも優れているとは言えない。
【０００７】
本発明は、大掛かりな設備が不要で分離作業が簡単なものであり、且つ、ガスの分離性能に優れている使用済み吸着剤の処理方法を提供することを目的とする。
【課題を解決するための手段】
【０００８】
かかる目的を達成するために請求項１記載の使用済み吸着剤の処理方法は、使用済みの吸着剤に吸着されているガスよりも吸着されやすい流体に接触させることで吸着剤からガスを分離した後、吸着剤を廃棄又は再使用するものである。
【０００９】
使用済みの吸着剤に吸着されているガス（以下、吸着ガスという）よりも吸着されやすい流体に吸着剤を接触させると、吸着ガスに代わって流体が吸着され、吸着ガスが放出される。即ち、使用済みの吸着剤から吸着ガスが分離される。ここで、使用済みの吸着剤に接触させる流体としては、気体でも液体でも良い。吸着ガスの分離後、吸着剤は廃棄される。又は、吸着ガスの分離によって吸着剤は再生され、再使用される。
【００１０】
また、請求項２記載の使用済み吸着剤の処理方法は、流体が液体である。したがって、使用済み吸着剤を液体に例えば浸漬させることで、吸着剤を液体に良好に接触させることができる。
【００１１】
さらに、請求項３記載の使用済み吸着剤の処理方法は、吸着剤から放出されたガスを捕集するものである。したがって、吸着ガスが環境に放出されることがなく、回収される。ここで、流体が液体の場合は、気液分離することで吸着ガスが回収される。また、流体が気体の場合は、流体との混合ガスとして吸着ガスが回収される。
【発明の効果】
【００１２】
請求項１記載の使用済み吸着剤の処理方法では、使用済みの吸着剤を廃棄する場合には、廃棄前に吸着ガスを分離しているので、使用済みの吸着剤と一緒に吸着ガスが廃棄されるのを防止することができる。また、吸着剤を再使用する場合には、吸着ガスを分離した後、接触させた流体を例えば蒸発させるなどして再生することで、吸着剤を再使用することができる。これらのため、環境対策に適している。また、吸着ガスよりも吸着されやすい流体に吸着剤を接触させることで吸着ガスを分離させるので、吸着ガスをより良好に分離することができると共に、簡易な設備・簡単な作業で吸着ガスの分離が可能になる。
【００１３】
また、請求項２記載の使用済み吸着剤の処理方法では、使用済みの吸着剤に接触させる流体として液体を使用するので、例えば吸着剤を液体に浸漬させることで良好に接触させることができる。
【００１４】
さらに、請求項３記載の使用済み吸着剤の処理方法では、使用済み吸着剤から放出されたガスを捕集するようにしているので、ガスが環境に放出されるのを防止することができる。また、捕集したガスを再使用することも可能になる。これらのため、環境対策に適している。
【図面の簡単な説明】
【００１５】
【図１】本発明の使用済み吸着剤の処理方法の実施形態の一例を示すフローチャートである。
【発明を実施するための形態】
【００１６】
図１に、本発明の使用済み吸着剤の処理方法の実施形態の一例を示す。使用済み吸着剤の処理方法（以下、単に処理方法という）は、使用済みの吸着剤に吸着されているガスよりも吸着されやすい流体に接触させることで吸着剤からガスを放出させた（ステップＳ２）後、吸着剤を廃棄又は再使用する（ステップＳ４）ものである。
【００１７】
本実施形態では、ガス絶縁電力機器に使用されていた吸着剤を廃棄する場合について説明する。ただし、処理対象となる吸着剤はガス絶縁電力機器に使用されていたものに限るものではなく、冷蔵庫，冷凍機，ショーケース，エアコン等の冷媒等に使用されていた吸着剤であっても良い。また、行なう処理としては吸着剤の廃棄に限るものではなく、吸着剤の再使用であっても良い。
【００１８】
吸着剤は、例えば合成ゼオライト系吸着剤であり、例えばアルカリ金属またはアルカリ土類金属の結晶性含水アルミノ珪酸塩で構成されている。吸着剤は例えば粒状に成形されている。このような吸着剤として、例えば東ソー株式会社製の合成ゼオライト系吸着剤「ゼオラム」（商品名）がある。ただし、吸着剤としては、このようなもの限定されるものではない。
【００１９】
ガス絶縁電力機器には絶縁ガスが使用されており、ガス絶縁電力機器から回収された吸着剤は絶縁ガスを吸着している。使用される絶縁ガスとしては、例えばＳＦ６ガス、ＳＦ６ガスを含む混合ガス等がある。ただし、これらのガスに限るものではなく、例えばＮ２ガス，ＣＯ２ガス，Ｃ３Ｆ８ガス，ｃ−Ｃ４Ｆ８ガス，ＣＦ３Ｉガス，ＣＦ４ガスおよびこれらの混合ガス等が使用されていることもある。即ち、本発明は、絶縁ガスとして例えばＳＦ６ガス、ＳＦ６ガスを含む混合ガスが使用されている場合は勿論のこと、その他のガスが使用されている場合であっても適用可能である。以下、絶縁ガスとしてＳＦ６ガスが使用されている場合を例に説明する。
【００２０】
吸着剤に接触させる流体として、分離の対象となる吸着されているガス（以下、吸着ガスという）よりも吸着剤に吸着されやすいものを使用する。流体は吸着ガスを溶解するものでも良く、溶解しないものでも良い。また、流体は液体でも良く、気体でも良い。本実施形態では、液体である水（Ｈ２Ｏ）を使用する。これはガス絶縁電力機器に適用されている吸着剤が，絶縁ガスの水分除去を目的としたものであり，特に水分を吸着しやすいことによる。しかも、水は入手が容易で、安価であり、取り扱いが容易である。したがって、吸着ガスを分離させるために使用する液体に適している。ただし、水に限るものではなく、吸着ガスよりも吸着剤に吸着されやすいものであれば、水以外の液体を使用しても良く、更には気体を使用しても良い。水以外の液体としては、例えばエタノール、メタノール等の使用が可能である。また、気体としては、水蒸気等の使用が可能である。
【００２１】
吸着剤を流体に接触させる手段としては、流体が液体の場合には、例えば吸着剤を液体中に浸漬させること、吸着剤に液体をかけること等がある。また、流体が気体の場合には、例えば吸着剤をその気体の雰囲気中に配置すること、吸着剤に気体を吹き付けること等がある。ただし、これらに限るものではない。
【００２２】
吸着剤は、流体に対してそのままの状態で接触させても良いし、例えば粉末状にすり潰して接触面積を増加させた後に接触させても良い。また、接触させる時間は、吸着剤の形状等によって変化するものであり、一様に特定できるものではないが、吸着ガスが流体中に放出されるのに十分な時間とする。例えば、吸着剤を液体に浸漬させた場合に、吸着剤から液体中にガスが放出されている様子が観察できなくなるまでの時間とする。ただし、これに限るものではない。
【００２３】
ガス絶縁電力機器内から回収した吸着剤（ステップＳ１）には、ガス絶縁電力機器内に充填されているＳＦ６ガス（絶縁ガス）が吸着されている。回収した吸着剤を、例えばガス分離用の流体（水）に浸漬する等して接触させると（ステップＳ２）、吸着の対象がＳＦ６ガスから水に代わるので、吸着剤から水中にＳＦ６ガスが放出される。このとき、水中に放出されたＳＦ６ガスを捕集する（ステップＳ３）。ＳＦ６ガスは水に溶けないので、気泡となって水中を上昇する。ＳＦ６ガスを水中で捕集しても良いし、水面から空気中に出てから捕集しても良い。そして、ＳＦ６ガスの放出に十分な時間が経過した後、吸着剤を水中から取り出し、必要な場合には乾燥させた後、廃棄する（ステップＳ４）。
【００２４】
本発明では、吸着剤をガス分離用の流体に接触させるだけで吸着ガスを分離することができるので、大掛かりな分離設備が不要であり、また、簡単な作業で吸着剤から吸着ガスを分離することができる。そのため、吸着剤を廃棄するための処理が容易になる。また、吸着剤に対する吸着のされやすさの差（吸着の程度差）を利用して、吸着ガスを分離するので、分離を良好に行なうことができる。
【００２５】
また、吸着ガスを分離してから吸着剤を廃棄するので、使用済みの吸着剤と一緒に吸着ガスが廃棄されるのを防止することができ、環境対策に適している。
【００２６】
なお、上述の形態は本発明の好適な形態の一例ではあるがこれに限定されるものではなく本発明の要旨を逸脱しない範囲において種々変形実施可能である。例えば、上述の説明では、吸着剤から分離させるガスが１種類（ＳＦ６ガス）の場合を例にしていたが、複数種類のガスを分離させる場合にも適用可能である。即ち、分離の対象となる吸着ガスが複数の場合であっても、各対象よりも吸着されやすい流体を使用することで、複数の対象の分離が可能である。例えば、ガス絶縁電力機器では、絶縁ガスとしてＳＦ６ガスを使用した場合、内部で通電異常や絶縁異常等の異常が発生すると、絶縁ガスから分解ガスとしてＳＦ４、ＳＯＦ２、ＳＯ２、ＨＦ、ＳＯＦ４、ＳＯ２Ｆ２が発生する。これらの分解ガスが発生していると、吸着剤には、ＳＦ６の他、ＳＦ４、ＳＯＦ２、ＳＯ２、ＨＦ、ＳＯＦ４、ＳＯ２Ｆ２も吸着されている。これらのガスよりも吸着剤に吸着されやすい流体、例えば水等を使用することで、これらの吸着ガスを吸着剤から分離することができる。
【００２７】
また、上述の説明では、吸着ガスの分離後に吸着剤を廃棄していたが、吸着剤を廃棄する代わりに、再使用するようにしても良い（ステップＳ４）。この場合、再使用する吸着剤には、これから吸着させようとするガスよりも吸着されやすい流体が既に吸着されていることになるが、当該流体を蒸発させる等して吸着剤を再生することで再使用が可能となる。例えば、吸着ガス分離のために吸着剤を水に浸漬させた場合には、吸着剤を自然乾燥、送風による乾燥、加熱による乾燥等によって乾燥させることで、吸着剤の再使用が可能になる。
【００２８】
さらに、上述の説明では、吸着剤から分離させたガスをガスの状態で捕集し回収していたが、必ずしもこれに限るものではなく、吸着剤から分離させたガスが浸漬させた液体に溶解する場合には、ガスが溶解した液体を回収するようにしても良い。また、吸着剤から吸着ガスを分離させるための流体として気体（分離用ガス）を使用する場合には、吸着ガスと分離用ガスの混合ガスを回収し、その後、吸着ガスを分離するようにしても良い。
【００２９】
ここで、吸着ガスとその分離に使用可能な流体との組み合わせを例示する。ただし、これらの組み合わせに限るものではない。
【００３０】
ＳＦ４、ＳＯＦ２、ＳＯ２、ＨＦ、ＳＯＦ４、ＳＯ２Ｆ２、ＳＦ６  ：  水
【実施例１】
【００３１】
流体に接触させることで吸着剤に吸着されていたガスを分離できることを確認するための実験を行なった。吸着剤には東ソー株式会社製の合成ゼオライト系吸着剤「ゼオラム」（Ｆ−９，球状品，サイズ４〜８＃）を使用した。また、ガス分離用の液体として精製水を使用した。精製水をビーカーに入れ、その水位は吸着剤が完全に浸る高さとした。実験は、吸着剤にＳＦ６ガスを吸着させて行なった。また、比較のために、空気中に放置しておいた吸着剤（ＳＦ６ガスを吸着していない吸着剤）についても同様の実験を行なった。
【００３２】
ＳＦ６ガスを吸着させた吸着剤を精製水に浸漬させ、精製水中に放出され液面に上昇してきたガスにＳＦ６検出装置（HALOTECK社製 78Halogen leak detector）を適用したところ、ＳＦ６ガスの反応を示した。これにより、吸着剤に吸着されていたＳＦ６ガスが精製水中に放出されたことを確認できた。一方、空気中に放置しておいた吸着剤を精製水に浸漬させた場合にも、精製水中にガスが放出されていたが、そのガスに対してＳＦ６検出装置に反応はなかった。
【００３３】
以上より、ＳＦ６ガスを吸着させた吸着剤を精製水に浸漬させることでＳＦ６ガスを分離できることが確認できた。
【図１】
2010201357.tif 000003